(57)【要約】【課題】本発明は、バラスト水処理装置の小型化を図ることを目的とするものである。【解決手段】この目的を達成するために本発明のバラスト水処理装置１２は、バラスト水流入口１３および、バラスト水流出口１４を有するバラスト水処理容器１５と、このバラスト水処理容器１５内に設けた紫外線照射手段の一例である紫外線ランプ１６と光触媒体とを備え、光触媒体は板状基部１８と、板状基部１８の表面を被う光触媒部１９を有し、板状基部１８には、少なくとも１つの遊端を有する構成とした。【選択図】図５
2012125735.tif 000002
【特許請求の範囲】
【請求項１】
バラスト水流入口および、バラスト水流出口を有するバラスト水処理容器と、このバラスト水処理容器内に設けた紫外線照射手段と光触媒体とを備え、
前記光触媒体は板状基部と、
前記板状基部の表面を被う光触媒部を有し、
前記光触媒体は、前記バラスト水処理容器内に着脱自在に装着されるとともに、少なくとも１つの遊端を有する構成であることを特徴とするバラスト水処理装置。
【請求項２】
前記光触媒体の板状基部の一端を前記バラスト水処理容器への取り付け部とし、この板状基部の他端を遊端とした請求項１に記載のバラスト水処理装置。
【請求項３】
前記板状基部の中部に、この板状基部を前記バラスト水処理容器に着脱自在に装着させる支持部を固定して取り付け部とし、前記前記板状基部の両端を遊端とした請求項１に記載のバラスト水処理装置。
【請求項４】
前記光触媒体の板状基部は、取り付け部から遊端側に向けて肉厚を薄くしたことを特徴とする請求項１から３のいずれか一つに記載のバラスト水処理装置。
【請求項５】
前記光触媒体の板状基部は、チタン、ステンレスの少なくとも一つで構成されることを特徴とする請求項１から４のいずれか一つに記載のバラスト水処理装置。
【請求項６】
前記光触媒部は光触媒粉と、耐紫外線バインダーと、反射材料を有し、前記反射材料が、アルミニウムフレーク、石英砂の少なくとも１つで構成されていることを特徴とする請求項１から５のいずれか一つに記載のバラスト水処理装置。
【請求項７】
前記耐紫外線バインダーとしてシリカを用いたことを特徴とする請求項６に記載のバラスト水処理装置。
【請求項８】
前記光触媒体の光触媒粉はアナタース型酸化チタンとフッ素を含み、前記アナタース型酸化チタンとフッ素が化学結合している酸化チタン光触媒であることをと特徴とする請求項１〜７に記載のバラスト水処理装置。
【請求項９】
バラスト水処理容器内に複数の紫外線照射手段を設けるとともに、隣接する紫外線照射手段間に請求項３に記載の光触媒体を配置したバラスト水処理装置。
【請求項１０】
バラスト水処理容器の内壁面と紫外線照射手段間に板状基部を設け、板状基部の一端を前記バラスト水処理容器へ取り付けた請求項９に記載バラスト水処理装置。
【発明の詳細な説明】
【技術分野】
【０００１】
本発明は、バラスト水処理装置に関する。
【背景技術】
【０００２】
船舶の安定航行を行うために、船舶の停泊地において、バラスト水が適宜取り込まれ、また排出されるようになっている。しかし、バラスト水を取り込む停泊地と、それを排出させる停泊地とは異なることが多いので、生態系の破壊が問題となっている。
【０００３】
すなわち、バラスト水を取り込んだ停泊地に生息していた水生生物や細菌類等の生物種が、その環境とは異なる停泊地において排出されると、その排出地における生物種の生態系を破壊させることがあるのである。
【０００４】
そこで、バラスト水を処理することで、上述した生態系の破壊を防止しようとするバラスト水処理装置が提案されている（例えば下記特許文献１参照）。
【先行技術文献】
【特許文献】
【０００５】
【特許文献１】国際公開第２００８／０９３８１１号
【発明の概要】
【発明が解決しようとする課題】
【０００６】
上記バラスト水処理装置は、バラスト水流入口、およびバラスト水流出口を有するバラスト水処理容器と、このバラスト水処理容器内にオゾン水を流入させるオゾン注入手段とを備えた構成となっている。
【０００７】
すなわち、船舶のシーチェストからくみ上げたバラスト水に、バラスト水処理容器内において、オゾン水を混入させ、オゾンの強酸化作用により、前記水生生物や細菌類等の生物種を殺滅させるようにしているのである。
【０００８】
しかしながら、このようにオゾンを利用するものは、オゾン発生手段や、オゾンによりバラスト水の配管が腐食するのを防止するためのオゾン脱気手段が必要となり、その結果としてバラスト水処理装置が大型化しやすくなる。
【０００９】
そこで、本発明はバラスト水処理装置の小型化を図ることを目的とするものである。
【課題を解決するための手段】
【００１０】
そして、この目的を達成するために本発明は、バラスト水流入口および、バラスト水流出口を有するバラスト水処理容器と、このバラスト水処理容器内に設けた紫外線照射手段と光触媒体とを備え、前記光触媒体は板状基部と、前記板状基部の表面を被う光触媒部を有し、前記光触媒体は、前記バラスト水処理容器内に着脱自在に装着されるとともに、少なくとも１つの遊端を有する構成とし、これにより、所期の目的を達成するものである。
【発明の効果】
【００１１】
以上のように本発明は、バラスト水流入口および、バラスト水流出口を有するバラスト水処理容器と、このバラスト水処理容器内に設けた紫外線照射手段と光触媒体とを備え、前記光触媒体は板状基部と、前記板状基部の表面を被う光触媒部を有し、前記光触媒体は、前記バラスト水処理容器内に着脱自在に装着されるとともに、少なくとも１つの遊端を有する構成としたものであるので、その小型化が図れるものとなる。
【００１２】
すなわち、本発明においては、バラスト水処理容器内に設けた紫外線照射手段からの紫外線と、この紫外線を受けた光触媒体により発生した、活性化された水酸ラジカルとにより、水生生物や細菌類等の生物種を殺滅させるものであるので、バラスト水処理容器外に、従来のようなオゾン発生手段や、オゾン脱気手段を設ける必要がなく、その結果として小型化が図れるものとなる。
【００１３】
また、本発明において前記光触媒体は、前記バラスト水処理容器内に着脱自在に装着されるとともに、少なくとも１つの遊端を有する構成としたものであるので、遊端が水流で撓み、その結果として水流も撹拌され、水流中に含まれる水生生物や細菌類等の生物種との接触確率が高くなる。
【００１４】
このため、光触媒体による水生生物や細菌類等の生物種を殺滅させる効果を高めることができる。
【００１５】
また、本発明において前記光触媒体は、前記バラスト水処理容器内に着脱自在に装着されるとともに、少なくとも１つの遊端を有する構成としたものであるので、遊端が水流で撓み、その結果として光触媒体表面に照射される紫外線強度が高くなる機会が増え、光触媒の活性が向上する。
【００１６】
このため、光触媒体による水生生物や細菌類等の生物種を殺滅させる効果を高めることができる。
【図面の簡単な説明】
【００１７】
【図１】本発明の実施の形態１にかかるバラスト水処理装置を用いた船舶を示す斜視図
【図２】同要部を示す図
【図３】同バラスト水処理装置の構成を示す断面図
【図４】同バラスト水処理装置の要部を示す拡大断面図
【図５】同バラスト水処理装置の要部を示す平面断面図
【図６】同バラスト水処理装置の要部を示す平面断面図
【発明を実施するための形態】
【００１８】
以下、本発明の実施の形態について、図面を参照しながら説明する。
【００１９】
図１の１は、港２に係留している船舶を示し、この船舶１の喫水線３の下方にはシーチェスト４が設けられている。
【００２０】
図２は図１における船舶１のバラスト水の取り込み、排出経路を示している。すなわち、船舶１内にバラスト水を取り込む場合には、まず船舶１内の切換弁５をシーチェスト４側に切換え、切換弁７を流入口８側に切換え、次に船舶１内のポンプ９を駆動する。
【００２１】
すると、シーチェスト４から例えば海水がバラスト水として流入し、その後、ポンプ９、流入口８を介してバラストタンク１０内に取り込まれる。
【００２２】
また、バラストタンク１０内のバラスト水を排出する場合には、切換弁５を流出口１１側に切換え、切換弁７を流入口８とは反対側に切換え、次にポンプ９を駆動する。
【００２３】
すると、バラストタンク１０内のバラスト水は流出口１１から切換弁５、ポンプ９、切換弁７を介してシーチェスト４を介して船舶１外に排出される。
【００２４】
図３は図２におけるポンプ９から切換弁７までの間に介在されたバラスト水処理装置１２を示している。
【００２５】
このバラスト水処理装置１２は、図３〜図５に示すように、バラスト水流入口１３および、バラスト水流出口１４を有するバラスト水処理容器１５と、このバラスト水処理容器１５内に設けた紫外線照射手段の一例である複数の紫外線ランプ１６と、複数の光触媒体１７とを備えている。
【００２６】
前記光触媒体１７は板状基部１８と、板状基部の表面を被う光触媒部１９を有しているが、この光触媒体１７の一端は、バラスト水処理容器１５内に着脱自在に装着されるとともに、少なくとも１つの遊端を有する構成となっている。
【００２７】
具体的には、図５に示すバラスト水処理容器１５の内壁面と紫外線ランプ１６の間に設けた光触媒体１７は、その一端が板体１７Ａへの取り付け部となっており、また他端が遊端となっている。そして、板体１７Ａがバラスト水処理容器１５の内壁面に対して着脱自在となっている。
【００２８】
また、紫外線ランプ１６間に設けた光触媒体１７は、その板状基部１８の中部に、この板状基部１８を前記バラスト水処理容器１５に着脱自在に装着させる支持部１７Ｂを固定して取り付け部とし、前記板状基部１８の両端は遊端としている。そして、支持部１７Ｂがバラスト水処理容器１５の内壁面に対して着脱自在となっている。
【００２９】
また、光触媒体１７を構成する板状基部１８は、チタン、ステンレスの少なくとも１つで構成されている。これらの金属は、バラスト水処理装置１２内を通過する海水に対し、劣化がしづらい金属であり、光触媒体１７は高度な耐久性を保つことができる。
【００３０】
光触媒体１７の板状基部１８には、図４に示すように、耐紫外線バインダー２０にて光触媒粉２１および反射材料２２を付着させた構成となっており、反射材料２２は、アルミニウムフレーク、石英砂の少なくとも１つで構成されている。これらの反射材料は、紫外線の反射率が高い無機材料である。これにより、紫外線ランプ１６からの紫外線は、距離に応じて光の強度が減衰するが、光触媒体１７の表面が紫外線を効率的に反射させることにより、光の強度の減衰を防ぐことができる。
【００３１】
なお、光触媒体１７を紫外線ランプ１６に対向させると、紫外線ランプ１６に近い分、紫外線の強度は強いが、紫外線の照射面積（受光面積）が小さくなるというデメリットが生じる。しかし、本実施形態によれば、紫外線ランプ１６の両側に、光触媒体１７を複数配置したので、紫外線のエネルギーを効率的に利用しつつ、照射面積（受光面積）を維持できるという効果を得られる。
【００３２】
また、光触媒体１７を多数設置すると、バラスト水と光触媒体１７との接触面積が増えるが、光触媒体１７に紫外線が届かない影になる部分が増える。しかし、本実施形態のように光触媒体１７で紫外線を効率的に反射させることにより、光触媒体１７において紫外線が直接届かず影になる部分が増えるのを防止することが出来る。なお、光触媒体１７の板状基部１８には、金属に限られること無く、紫外線の反射率が高い物質を利用しても良い。
【００３３】
また、光触媒体１７の耐紫外線バインダー２０としてシリカを用いる構成とした。
【００３４】
また、光触媒粉２１はアナタース型酸化チタンとフッ素を含み、アナタース型酸化チタンとフッ素が化学結合している酸化チタン光触媒である構成であり、その詳細な内容は、本願特許出願人が先に出願しているＷＯ２００８／１３２８２４号公報に詳細に記載されている。
【００３５】
本実施形態によれば、バラスト水処理容器１５内には図３〜図５で説明したように、紫外線照射手段の一例として設けた複数の紫外線ランプ１６と、紫外線ランプ１６間に配置した複数の光触媒体１７とを設けている。
【００３６】
このため、バラスト水処理容器１５内に設けた紫外線ランプ１６からの紫外線と、この紫外線を受けた光触媒体１７により発生した、活性化された水酸ラジカルとにより、水生生物や細菌類等の生物種は殺滅させられることになる。
【００３７】
本実施の形態において、光触媒体１７の板状基部１８の一部が遊端となっている。
【００３８】
したがって、バラスト水処理容器１５内にバラスト水が流入すると、この遊端が撓み、バラスト水にも、乱流が発生する。乱流が発生することにより、光触媒体表面のバラスト水処理容器１５内に設けた紫外線ランプ１６からの紫外線を受けた光触媒体１７により発生した、活性化された水酸ラジカルと水生生物や細菌類等の生物種が、より反応する機会が向上する。これにより、水生生物や細菌類等の生物種は殺滅させやすくなる。
【００３９】
また、光触媒体１７の板状基部１８は、取り付け部から遊端側に向けて図６に示すように薄くし、水流でより撓みやすく、乱流を発生しやすくしても良い。
【００４０】
また、光触媒体１７が撓むことで光触媒体１７表面に照射される紫外線の強度が高くなる機会が増えるので、光触媒の活性が向上する。これにより、水生生物や細菌類等の生物種は殺滅させやすくなる。
【００４１】
そして、このようにして水生生物や細菌類等の生物種が殺滅させられたバラスト水が、次にはバラスト水処理容器１５のバラスト水流出口１４から切換弁７を介してバラストタンク１０内、または切換弁７、を介してシーチェスト４から船舶１外に排出される。
【００４２】
つまり、バラスト水の取り込み時に、バラスト水処理容器１５で、水生生物や細菌類等の生物種を殺滅はしたが、例えば、それら生物種の休眠胞子などが処理できずに残ってしまった場合には、それがバラストタンク１０内で発芽してしまう虞もあるので、このようなバラスト水の排出時にも、バラスト水処理容器１５で、それら生物種の殺滅を行うのである。
【産業上の利用可能性】
【００４３】
以上のように本発明はバラスト水流入口および、バラスト水流出口を有するバラスト水処理容器と、このバラスト水処理容器内に設けた紫外線照射手段とを備え、前記光触媒体は板状基部と、前記板状基部の表面を被う光触媒部を有し、前記光触媒体は、前記バラスト水処理容器内に着脱自在に装着されるとともに、少なくとも１つの遊端を有する構成としたものであるので、その小型化が図れるものとなる。
【００４４】
すなわち、本発明においては、バラスト水処理容器内に設けた紫外線照射手段からの紫外線と、この紫外線を受けた光触媒体により発生した、活性化された水酸ラジカルとにより、水生生物や細菌類等の生物種を殺滅させるものであるので、バラスト水処理容器外に、従来のようなオゾン発生手段や、オゾン脱気手段を設ける必要がなく、その結果として小型化が図れるものとなる。
【００４５】
また、本発明において前記光触媒体は、前記バラスト水処理容器内に着脱自在に装着されるとともに、少なくとも１つの遊端を有する構成としたものであるので、遊端が水流で撓み、その結果として水流も撹拌され、水流との接触確率が高くなる。
【００４６】
また、本発明において前記光触媒体は、前記バラスト水処理容器内に着脱自在に装着されるとともに、少なくとも１つの遊端を有する構成としたものであるので、遊端が水流で撓み、その結果として光触媒体表面に照射される紫外線強度が高くなる機会が増え、光触媒の活性が向上する。
【００４７】
このため、光触媒体による水生生物や細菌類等の生物種を殺滅させる効果を高めることができる。
【００４８】
したがって、船舶のバラスト水処理装置としての活用が期待される。
【符号の説明】
【００４９】
１    船舶
２    港
３    喫水線
４    シーチェスト
５    切換弁
７    切換弁
８    流入口
９    ポンプ
１０  バラストタンク
１１  流出口
１２  バラスト水処理装置
１３  バラスト水流入口
１４  バラスト水流出口
１５  バラスト水処理容器
１６  紫外線ランプ
１７  光触媒体
１８  板状基部
１９  光触媒部
２０  耐紫外線バインダー
２１  光触媒粉
２２  反射材料
【図１】
2012125735.tif 000003
【図２】
2012125735.tif 000004
【図３】
2012125735.tif 000005
【図４】
2012125735.tif 000006
【図５】
2012125735.tif 000007
【図６】
2012125735.tif 000008